(57)【要約】【課題】比較的簡単な構成で、安定した底及び容易に交換可能な往復動歯を備えた衝撃アクチュエータアセンブリを提供する。【解決手段】衝撃アクチュエータアセンブリはハウジングを含み、ハウジングは前面、後面、２つの両側面、上面及び底面を有し、アクチュエータ受入領域を形成する。アクチュエータ受入領域内に液圧アクチュエータが固定して取り付けられ、液圧アクチュエータはアクチュエータヘッドを備え、アクチュエータヘッドの少なくとも一部はアクチュエータ受入領域の前側に延びている。ハウジングの前面にはアクチュエータ受入領域から所定の距離を存し且つ固定してノーズピースが取り付けられており、ノーズピースはアクチュエータ受入領域との間に空間を形成する。ノーズピースは、ツールピンを受け入れるために少なくとも１個の中空の長手方向ガイドを備え、各ツールピンは後部及び前部を有する。ツールピンの後部はノーズピースとアクチュエータヘッドとの間の空間内に延び、ツールピンの前部はハウジングの前面を越えて延びている。ハウジングには複数の液圧コネクタが取り付けられ、これら液圧コネクタは液圧アクチュエータに作動可能に接続されている。液圧アクチュエータが作動されたとき、アクチュエータヘッドはツールピンに周期的な衝撃を付与すべく長手方向に往復動する。【選択図】図７
2008505264.tif 000002
【特許請求の範囲】
【請求項１】
前面、後面、２つの両側面、上面及び底面を有し、アクチュエータ受入領域を形成するハウジングと、
前記アクチュエータ受入領域内に固定して取り付けられ、前記アクチュエータ受入領域の前方に少なくとも一部が延びるアクチュエータヘッドを備えた液圧アクチュエータと、
前記ハウジングの前面に前記アクチュエータ受入領域から所定の距離を存し且つ固定して取り付けられ、前記アクチュエータヘッドとの間にて空間を形成するノーズピースであって、ツールピンを受入れるための少なくとも１個の中空の長手方向ガイドを備え、前記ツールピンの各々が後部及び前部を有し、前記ツールピンの前記後部が前記ノーズピースと前記アクチュエータヘッドとの間の前記空間内に延び、前記ツールピンの前記前部が前記ハウジングの前記前面を越えて延びている、ノーズピースと、
前記ハウジングに取り付けられ、前液圧記アクチュエータに接続された複数の液圧コネクタとを備え、
使用時、前記液圧アクチュエータが作動されたとき、前記アクチュエータヘッドは前記ツールピンに周期的な衝撃を与えるべく、長手方向に往復動することを特徴とする衝撃アクチュエータアセンブリ。
【請求項２】
前記アクチュエータヘッドは、前記ノーズピースの後面に対してほぼ平行な平坦面を有することを特徴とする請求項１に記載の衝撃アクチュエータアセンブリ。
【請求項３】
前記アクチュエータ受入領域は前記ハウジングから分離されていることを特徴とする請求項２に記載の衝撃アクチュエータアセンブリ。
【請求項４】
前記液圧コネクタは前記ハウジングの前記上面に取り付けられていることを特徴とする請求項３に記載の衝撃アクチュエータアセンブリ。
【請求項５】
前記衝撃アクチュエータアセンブリは、互いに整列された３個の中空の長手方向ガイドと、前記各長手方向ガイド内に設けられたツールピンとを含むことを特徴とする請求項３に記載の衝撃アクチュエータアセンブリ。
【請求項６】
前記ノーズピースの前記後面に位置決めスペーサが更に設けられていることを特徴とする請求項３に記載の衝撃アクチュエータアセンブリ。
【請求項７】
前記ツールピンは、裏当てロッドを備えた前記ノーズピース内にて所定位置に保持されていることを特徴とする請求項５に記載の衝撃アクチュエータアセンブリ。
【請求項８】
前記ノーズピースの前記後面は複数の凹所を更に含み、
前記各凹所はばね部材を備え、このばね部材の一端は前記凹所の端壁に着座するともに前記ばね部材の他端は前記凹所内に固定された受け部材に着座しており、
前記受け部材は前記ノーズピースと前記アクチュエータ受入領域との間の前記空間内に延びていることを特徴とする請求項７に記載の衝撃アクチュエータアセンブリ。
【請求項９】
前記ノーズピースと前記アクチュエータ受入領域との間の前記空間の長さは、ピストンストロークよりも短いことを特徴とする請求項７に記載の衝撃アクチュエータアセンブリ。
【請求項１０】
前記ノーズピースと前記アクチュエータ受入領域との間の前記空間の長さは、ピストンストロークよりも長いことを特徴とする請求項７に記載の衝撃アクチュエータアセンブリ。
【請求項１１】
底、後壁、取付ブラケットを備えた側壁を有し、請求項１における少なくとも１個の衝撃アクチュエータアセンブリを備えた掘削バケット。
【請求項１２】
前記アクチュエータヘッドは、前記ノーズピースの後面に対してほぼ平行な平坦面を有することを特徴とする請求項１１に記載の掘削バケット。
【請求項１３】
前記アクチュエータ受入領域は前記ハウジングから分離されていることを特徴とする請求項１２に記載の掘削バケット。
【請求項１４】
前記液圧コネクタは前記ハウジングの前記上面に取り付けられていることを特徴とする請求項１３に記載の掘削バケット。
【請求項１５】
前記衝撃アクチュエータアセンブリは、互いに整列された３個の中空の長手方向ガイドと、前記各長手方向ガイド内に設けられたツールピンとを含むことを特徴とする請求項１３に記載の掘削バケット。
【請求項１６】
前記ノーズピースの前記後面に位置決めスペーサが更に設けられていることを特徴とする請求項１３に記載の掘削バケット。
【請求項１７】
前記ツールピンは、裏当てロッドを備えた前記ノーズピース内にて所定位置に保持されていることを特徴とする請求項１５に記載の掘削バケット。
【請求項１８】
前記ノーズピースの前記後面は複数の凹所を更に含み、
前記各凹所はばね部材を備え、このばね部材の一端は前記凹所の端壁に着座するともに前記ばね部材の他端は前記凹所内に固定された受け部材に着座しており、
前記受け部材は前記ノーズピースと前記アクチュエータ受入領域との間の前記空間内に延びていることを特徴とする請求項１７に記載の掘削バケット。
【請求項１９】
前記ノーズピースと前記アクチュエータ受入領域との間の前記空間の長さは、ピストンストロークよりも短いことを特徴とする請求項１７に記載の掘削バケット。
【請求項２０】
前記ノーズピースと前記アクチュエータ受入領域との間の前記空間の長さは、ピストンストロークよりも短いことを特徴とする請求項１６に記載の掘削バケット。
【請求項２１】
少なくとも２個の衝撃アクチュエータアセンブリを含むことを特徴とする請求項１１に記載の掘削バケット。
【請求項２２】
前記少なくとも２個の衝撃アクチュエータアセンブリは液圧的に並列に接続されていることを特徴とする請求項２１に記載の掘削バケット。
【請求項２３】
前記少なくとも２個の衝撃アクチュエータアセンブリは液圧的に直列に接続されていることを特徴とする請求項２１に記載の掘削バケット。
【請求項２４】
前記各ツールピンの前部は楔形状であることを特徴とする請求項１に記載の衝撃アクチュエータアセンブリ。
【請求項２５】
前記各ツールピンの前部は締固めプレートに更に接続されていることを特徴とする請求項５に記載の衝撃アクチュエータアセンブリ。
【請求項２６】
前記各ツールピンの前部はＶ字ナイフに更に接続されていることを特徴とする請求項５に記載の衝撃アクチュエータアセンブリ。
【請求項２７】
前記各ツールピンの前部は地均しナイフに更に接続されていることを特徴とする請求項５に記載の衝撃アクチュエータアセンブリ。
【請求項２８】
前記各ツールピンの前部は締固めローラに更に接続されていることを特徴とする請求項５に記載の衝撃アクチュエータアセンブリ。
【請求項２９】
前記少なくとも２個の衝撃アクチュエータアセンブリにおける少なくとも２個のノーズピースは単一の部材から形成されていることを特徴とする請求項２１に記載の掘削バケット。
【発明の詳細な説明】
【技術分野】
【０００１】
本発明は、衝撃装置、より詳しくは、衝撃アクチュエータアセンブリを含む衝撃装置に関する。
【背景技術】
【０００２】
本技術分野において、公知の掘削バケットは硬い土壌等を掘削するように構成されている。この種の掘削バケットの１つは特許文献１に示されている。この特許文献１の掘削バケットは、バケット本体と、可動ヘッドと、この可動ヘッドと衝撃アクチュエータとの間に取り付けられた可動底とを含み、衝撃アクチュエータはバケット本体と可動ヘッドとの間に設けられ、これらバケット本体及び可動ヘッドに取り付けられている。
【０００３】
本技術分野においては他の構成も明らかであって、特許文献２を参照することができる。この特許文献２は掘削バケットを教示し、この掘削バケットの先端縁には空圧により個々に駆動される掘削歯の列が備えられている。各掘削歯は空圧ハンマーに接続され、この空圧ハンマーは掘削歯を高速で往復動させる。
【特許文献１】米国特許第6574891号明細書
【特許文献１】米国特許第4625438号明細書
【発明の開示】
【発明が解決しようとする課題】
【０００４】
各掘削歯は空圧衝撃ハンマーに個々に接続されているので、掘削バケットの総重量は通常の掘削バケットの重量よりも重く、このことは掘削バケットを備えた機械のアームが完全に伸ばされたときに不利となる。
本発明の目的は、比較的簡単な構成で、安定した底及び容易に交換可能な往復動歯を備えた衝撃アクチュエータアセンブリを提供することにある。
【課題を解決するための手段】
【０００５】
本発明によれば、衝撃アクチュエータアセンブリが提供され、この衝撃アクチュエータアセンブリは、前面、後面、２つの両側面、上面及び底面を有し、アクチュエータ受入領域を形成するハウジングと、前記アクチュエータ受入領域内に固定して取り付けられ、前記アクチュエータ受入領域の前方に少なくとも一部が延びるアクチュエータヘッドを備えた液圧アクチュエータと、前記ハウジングの前面に前記アクチュエータ受入領域から所定の距離を存し且つ固定して取り付けられ、前記アクチュエータヘッドとの間にて空間を形成するノーズピースであって、ツールピンを受入れるために少なくとも１個の中空の長手方向ガイドを備え、前記ツールピンの各々が後部及び前部を有し、前記ツールピンの前記後部が前記ノーズピースと前記アクチュエータヘッドとの間の前記空間内に延び、前記ツールピンの前記前部が前記ハウジングの前記前面を越えて延びている、ノーズピースと、前記ハウジングに取り付けられ、前記液圧アクチュエータに接続された複数の液圧コネクタとを備え、使用時、前記液圧アクチュエータが作動されたとき、前記ツールピンに周期的な衝撃を与えるべく、前記アクチュエータヘッドは長手方向に往復動する。
【発明の効果】
【０００６】
本発明の衝撃アクチュエータアセンブリは、比較的簡単な構成で、安定した底及び容易に交換可能なツールピンを備えることができる。
【発明を実施するための最良の形態】
【０００７】
発明の開示に記載したように、本発明は衝撃アクチュエータアセンブリに関する。衝撃アクチュエータアセンブリは自身でも使用可能であるが、好適な実施例において、本衝撃アクチュエータアセンブリ２６は掘削バケットに組み込まれるのが好ましい。
詳細を示し且つ参照符号が付された図を参照すれば、図１〜３には本発明の好適な実施例が図示されている。これらの図にて、衝撃アクチュエータアセンブリは掘削バケットに組み込まれており、この掘削バケットはその全体が参照符号１０によって示されている。この点に関し、掘削バケット１０は前記特許文献１に示されたものと同様なものである。
【０００８】
掘削バケット１０は、底壁１２、後壁１４及び両側壁１６を有する。これら側壁１６は取付ブラケット１８を備え、これら取付ブラケット１８は掘削バケット１０の取り付けを目的として複数の開口２０を有する。
掘削バケット１０の使用及びその幅に依存し、各掘削バケット１０には１個以上の衝撃アクチュエータアセンブリ２６が取り付けられている（衝撃アクチュエータアセンブリの多重使用については図１３〜図１７を参照）。
【０００９】
一連（掘削ショベル１０当たりに１個以上）の衝撃アクチュエータアセンブリ２６が使用されるとき、各衝撃アクチュエータアセンブリ２６は並列に取り付けられ、内壁により分離される。掘削ショベルの特別な構成にあっては、多重衝撃アクチュエータアセンブリは同一の分離内壁２４を共有する。
各衝撃アクチュエータアセンブリ２６は一対の側面壁２２、位置決めスペーサ２１及びリアプレート３９を備え、これらは単一の衝撃アクチュエータアセンブリ２６を収容する。図に示されているように、衝撃アクチュエータアセンブリ２６は後方クッション２８、中央クッション３０及び前方クッション３２を備えている。側面壁２２にはカバー３４が取り付けられており、このカバー３４は衝撃アクチュエータアセンブリ２６を閉じ込める。カバー３４は側面壁２２にねじ３６を介して固定されている。同様に、前壁３８は側面壁２２に位置決めスペーサ２１によって固定されている。
【００１０】
また、各衝撃アクチュエータアセンブリ２６はアクチュエータヘッド４２を含み、このアクチュエータヘッド４２はアンビルとして機能する。アクチュエータヘッド４２の一端はそのアクチュエータ内に嵌合し、一方、アクチュエータヘッド４２の（広い）他端はツールピン４８の端部に当接している（ツールピン４８の数は決定されておらず、１が最少で、ｎｏが最大である）ツールピン４８はノーズピース４４内に取り付けられており、このノーズピース４４は掘削バケット１０の底壁１２及び側壁１６、即ち、側面壁２２に固定されている。この目的のため、ノーズピース４４は底壁１２及び側面壁２２に溶接することができる。次に、ツールピン４８はノーズピース４４内に形成されたスロット、即ち、ガイド孔４５内にて移動可能である。ツールピン４８は裏当てロッド６０によって所定位置に保持されている。多重衝撃アクチュエータアセンブリ２６が用いられる場合、ノーズピース４４の数を明示する具体的な規則は無い。掘削バケット１０内の各衝撃アクチュエータアセンブリ２６は自身のノーズピース４４を有することができ、同様に、単一のノーズピース４４は１個以上の衝撃アクチュエータアセンブリ２６のためのツールピン４８を案内することができる。案内されるツールピン４８の大きさや数に制約はない。同様に、ツールピン４８の全てを固定するため、ツール固定機構は１本以上の裏当てロッド６０を有することができる。各裏当てロッド６０は１個又は多数のノーズピース４４にとって役立つ。
【００１１】
図６及び図９を参照すると、各衝撃アクチュエータアセンブリ２６は２個の液圧接続部６６（入口及び出口）と、アクチュエータヘッド４２自身の摩耗ブッシュのための１個のグリース接続部６８と、水面下での使用に際して、衝撃アクチュエータアセンブリ２６のシールに使用される圧縮空気のための１個の接続部７０とを有する。衝撃アクチュエータアセンブリ２６に接続する全ての系統は、掘削バケット１０内から外側コネクタ６７，６９，７１まで延び、それ故、（カバーを取り外すことなく）外側からの衝撃アクチュエータアセンブリの操作及び基本的な保守が可能となる。
【００１２】
各衝撃アクチュエータアセンブリ２６はその操作及び作動に関して互いに完全に独立している。このような場合、衝撃アクチュエータアセンブリ２６は相互に接続されていない。１個の衝撃アクチュエータアセンブリ２６によって駆動されるツールピン４８は他の衝撃アクチュエータアセンブリ２６から完全に独立し、液圧接続部６６は独立である。しかしながら、異なる衝撃アクチュエータアセンブリ２６のアクチュエータは液圧的に接続可能である。このような場合、ツールピン４８は同時に作動する。同様に、衝撃アクチュエータアセンブリ２６は（省スペース化ために）共通のガス室を共用することができる。
【００１３】
適用例１−硬い土壌、長いアクチュエータヘッド４２及び受け部材５４を備えている場合
図５、図５ａ及び図７に最も良く示されているように、ノーズピース４４内には複数の凹所５６が設けられている。各凹所５６はその内部に取り付けられたばね部材５２を有する。ばね部材５２の一端は凹所５６の一端壁に着座し、その他端は受け部材５４に対して着座している。受け部材５４は受けねじ５０により所定位置に固定されている。図７に示されるように、受け部材５４はノーズピース４４の内端壁５８を僅かに越えて延びている。硬い土壌での通常の作業中、ツールピン４８、つまり、アクチュエータヘッド４２に対して圧力が常時加えられている。アクチュエータヘッド４２の行程が短く且つ硬い材料が破壊されない限り、ツールピン４８に対する圧力はアクチュエータヘッド４２がノーズピース４４の内端壁５８に衝突するのを防止する。しかしながら、硬い材料が破壊されたとき、ツールピン４８の先端での圧力が無くなり、アクチュエータヘッド４２はノーズピース４４に対して押圧される。受け部材５４の構成によれば、受け部材５４はツールピン４８の圧力が解放された後、ノーズピース４４へのアクチュエータヘッド４２の衝撃力を制御する。受け部材５４に対するばね抵抗を適切に調整することにより、アクチュエータヘッド４２の減速が制御される。これにより、衝撃力は最少化され且つ所望の通りに設定される。また、アクチュエータヘッド４２は、ばね部材５２の付勢力により次行程のための位置に確実に戻される。
【００１４】
適用例２−硬い土壌、長いアクチュエータヘッド４２のみ（受け部材５４無し）を備えている場合
図８の衝撃アクチュエータアセンブリ２６の場合、受け部材５４は備えられておらず、ばね部材５２及び受けねじ５０はノーズピース４４内に取り付けられている。硬い土壌での通常の作業は前述した適用例１の場合と同様である。その相違は、硬い材料が破壊され且つツールピン４８の先端での圧力が無くなったとき、アクチュエータヘッド４２がノーズピース４４の内端壁５８に直接的に衝突することであって、衝撃力は制御されない。
【００１５】
適用例３−硬い土壌、短いアクチュエータヘッド４２を備えている場合
この衝撃アクチュエータアセンブリ２６にあっては、アクチュエータピストンが（衝撃アクチュエータアセンブリ２６の外側に）完全に延出した位置にあっても、アクチュエータヘッド４２はノーズピース４４の内端壁５８から押圧されることはない。アクチュエータヘッド４２の自由スペースはピストンストロークよりも長い。この結果、硬い材料が破壊されたとき、ツールピン４８における先端での圧力の解放がノーズピース４４の内端壁に対してアクチュエータヘッド４２を衝突させることはない。ノーズピース４４を損傷可能とする衝撃はない。ツールピン４８への圧力が無い状態（例えば、土）での材料の除去作業の場合、本適用例では掘削バケットの壁に発生する振動が少ないので、好適なものではない。
【００１６】
適用例４−土、衝撃振動の場合
本適用例は、掘削バケット内に材料（例えば、土）が満杯にされて、その内面に材料が付着し、それ故、材料を綺麗に排出するのが困難な状況に着目する。上述した３つの適用例の何れにあっても土の除去作業に使用可能である。各衝撃アクチュエータアセンブリ２６により掘削バケット１０に発生される振動は、掘削バケット１０からの土の排出を容易にする。適用例１を参照すれば、掘削バケット１０内の土（又は他の材料）を強制的に排出するのに充分な振動を発生させるべく、受け部材５４は、ツールピン４８に対する負荷が無い状態で、衝撃アクチュエータアセンブリ２６の作動、並びに、ノーズピース４４の内端壁５８に対するアクチュエータヘッド４２の衝突制御を可能にする。また同様に、適用例２はツールピン４８の負荷が無い状態でも使用できるが、衝撃の制御はできない。
【００１７】
ノーズピース４４とのアクチュエータヘッド４２の直接な衝撃は適用例１よりも大きな振動を発生させる。衝撃力は掘削バケット１０へのノーズピース４４の溶接により吸収される。また、適用例３は（前述の適用例１，２よりも少ないが、）掘削バケット１０に振動を発生させる。衝撃は衝撃アクチュエータアセンブリ２６内の構成要素によって吸収される。
【００１８】
適用例５−土、振動カバーの場合
先の適用例（適用例４）に制限されることなく、衝撃アクチュエータアセンブリ２６には機械的機構を取り付け可能であり、この機械的機構はアクチュエータヘッド４２とともに、衝撃アクチュエータアセンブリ２６の可動カバー３４（又は可動カバー３４の一部）を長手方向に移動させる。可動カバー３４（又はその一部）の前後の動きは掘削バケット１０内に詰め込まれた土壌の解放を容易にする。
【００１９】
ノーズピース４４や、特にそのガイド孔４５は大きな摩滅を受けるため、これらの材料には適切な硬い材料の使用が要求される。他の代替手段として、取り外し可能な摩耗ブッシュ６４が使用可能である（図１８及び図１９参照）。
前述したように、衝撃アクチュエータアセンブリ２６は図２０及び図２１に示されていように自身でも使用可能である。この点において、ツールピン４８は、衝撃アクチュエータアセンブリ２６の汎用性を増加させるために様々な異なるツールに接続可能である。
【００２０】
一実施例において、ツールピン４８は建設作業での締固めローラに接続されており、この締固めローラは建設分野において公知である。アクチュエータヘッド４２の周期的な衝撃は締固めローラの効率を増加させる。
図２３ａ，図２３ｂ、図２４ａ及び図２４ｂは使用可能な他のツール、即ち、Ｖ字ナイフを示す。このＶ字ナイフには１２インチ（１インチ＝25.4mm）又は２４インチのサイズが使用可能であるが、顧客が所望する他のサイズでも使用可能である。ツールピン４８はＶ字ナイフに保持ピン２０１によって固定され、これら保持ピン２０１はＶ字ナイフ内にワッシャ３及び保持クリップ５により取り付けられる。特に、図２４ｂを参照すれば、保持ピン２０１は、保持溝２０７を備えたツールピン４８を保持する。
【００２１】
同様に、他のツールは１２インチの地均しナイフ２３０又は２４インチの地均しナイフ２４０であってもよい。ツールピン４８はＶ字ナイフの場合と同様にして、地均しナイフ内に保持される。
更に、本発明にて使用可能な他のツールは締固めプレートであり、この締固めプレートのサイズは１２インチ又は２４インチであるが、顧客が望む他のサイズであってもよい。ツールピン４８は締固めプレート内に保持ピン２５１によって保持され、これら保持ピン２５１は締固めプレートの孔２５２及びツールピン４８の孔２５３を貫通する。ツールピン４８に締固めプレートを固定するためには適切な保持部材が使用される。
【００２２】
上述の実施例は図示のみを目的としたものであって、実施例に対する変更や改良が発明の要旨及び範囲を逸脱することなく可能である。
【図面の簡単な説明】
【００２３】
【図１】１個のアクチュエータアセンブリを備え且つ受け部材が配列して取り付けられている掘削バケットを示す平面図である。
【図２】掘削バケット内の構成要素を示すべく、ノーズピースを破断した図１と同様な平面図である。
【図３】１個のアクチュエータアセンブリを備え且つ受け部材が配列して取り付けられた掘削バケットの縦断面図である。
【図４】掘削バケットの分解斜視図である。
【図５】図１の掘削バケットの分解斜視図である。
【図５ａ】図５の一部の詳細図である。
【図６】内部の構成要素を示すべく幾つかの構成要素を取り除いた図１の掘削バケットの前方からの斜視図である。
【図７】受け部材の配列を示すべく幾つかの構成要素を取り除いた図１の掘削バケットの後方からの斜視図である。
【図８】受け部材を除き且つ図示を容易にするため、幾つかの構成要素を取り除いた掘削バケットの後方からの斜視図である。
【図９】掘削バケットの平面図である。
【図９ａ】図９の掘削バケットの後側にある外側コネクタの拡大図である。
【図１０】図９の掘削バケットの前方からの斜視図である。
【図１１】上面のカバーが取り除かれた掘削バケットの斜視図である。
【図１２】上面のカバーが取り除かれた掘削バケットの斜視図である。
【図１３】２個の衝撃アクチュエータアセンブリ及び２個の独立したノーズピースを備え、図１１と同様な掘削バケットを示す斜視図である。
【図１４】２個の衝撃アクチュエータアセンブリ及び２個の独立したノーズピースを備え、図１２と同様な掘削バケットを示す斜視図である。
【図１５】２個の衝撃アクチュエータアセンブリ及び２個の独立したノーズピースを備えた掘削バケットの分解斜視図である。
【図１６】２個の衝撃アクチュエータ、共通のノーズピース及びノーズピースを共有する駆動壁を備えた掘削バケットの斜視図である。
【図１７】２個の衝撃アクチュエータ、共通のノーズピース及びノーズピースを共有する駆動壁を備えた掘削バケットの斜視図である。
【図１８】ノーズピース内への取り外しが可能な摩耗ブッシュを示す図である。
【図１９】他の摩耗ブッシュを示す図である。
【図２０】本発明の好適な実施例である衝撃アクチュエータアセンブリの斜視図である。
【図２１】上部が取り除かれた衝撃アクチュエータアセンブリの斜視図である。
【図２２ａ】締固めローラの斜視図である。
【図２２ｂ】締固めローラの前側斜視図である。
【図２３ａ】組み付け後の１２インチ（１インチ25.4mm）のＶナイフの斜視図である。
【図２３ｂ】１２インチのＶナイフの分解斜視図である。
【図２４ａ】組み付け後の２４インチのＶナイフの斜視図である。
【図２４ｂ】２４インチのＶナイフの分解斜視図である。
【図２５ａ】組み付け後の１２インチの地均しナイフの斜視図である。
【図２５ｂ】１２インチの地均しナイフの分解斜視図である。
【図２６ａ】組み付け後の２４インチの地均しナイフの斜視図である。
【図２６ｂ】２４インチの地均しナイフの分解斜視図である。
【図２７ａ】組み付け後の締固めプレートの斜視図である。
【図２７ｂ】締固めプレートの分解斜視図である。
【図２８】種々のツールピンの外形形状を示す図である。
【符号の説明】
【００２４】
１０              掘削バケット
１２              底壁
１４              後壁
１６              側壁
１８              取付ブラケット
２１              位置決めスペーサ
２６              衝撃アクチュエータアセンブリ（液圧アクチュエータ）
４２              アクチュエータヘッド
４４              ノーズピン
４５              ガイド孔（長手方向ガイド）
４８              ツールピン
５２              ばね部材
５４              受け部材
５６              凹所
６０              裏当てロッド
６７，６９，７１  外側コネクタ（液圧コネクタ）
【図１】
2008505264.tif 000003
【図２】
2008505264.tif 000004
【図３】
2008505264.tif 000005
【図４】
2008505264.tif 000006
【図５】
2008505264.tif 000007
【図５ａ】
2008505264.tif 000008
【図６】
2008505264.tif 000009
【図７】
2008505264.tif 000010
【図８】
2008505264.tif 000011
【図９】
2008505264.tif 000012
【図９ａ】
2008505264.tif 000013
【図１０】
2008505264.tif 000014
【図１１】
2008505264.tif 000015
【図１２】
2008505264.tif 000016
【図１３】
2008505264.tif 000017
【図１４】
2008505264.tif 000018
【図１５】
2008505264.tif 000019
【図１６】
2008505264.tif 000020
【図１７】
2008505264.tif 000021
【図１８】
2008505264.tif 000022
【図１９】
2008505264.tif 000023
【図２０】
2008505264.tif 000024
【図２１】
2008505264.tif 000025
【図２２ａ】
2008505264.tif 000026
【図２２ｂ】
2008505264.tif 000027
【図２３ａ】
2008505264.tif 000028
【図２３ｂ】
2008505264.tif 000029
【図２４ａ】
2008505264.tif 000030
【図２４ｂ】
2008505264.tif 000031
【図２５ａ】
2008505264.tif 000032
【図２５ｂ】
2008505264.tif 000033
【図２６ａ】
2008505264.tif 000034
【図２６ｂ】
2008505264.tif 000035
【図２７ａ】
2008505264.tif 000036
【図２７ｂ】
2008505264.tif 000037
【図２８】
2008505264.tif 000038
【手続補正書】
【提出日】平成18年5月3日(2006.5.3)
【手続補正１】
【補正対象書類名】明細書
【補正対象項目名】特許請求の範囲
【補正方法】変更
【補正の内容】
【特許請求の範囲】
【請求項１】
前面、後面、２つの両側面、上面及び底面を有し、アクチュエータ受入領域を形成するハウジングと、
前記アクチュエータ受入領域内に固定して取り付けられ、前記アクチュエータ受入領域の前方に少なくとも一部が延びるアクチュエータヘッドを備えた液圧アクチュエータと、
前記ハウジングにその前面にて前記アクチュエータ受入領域から所定の距離を存し且つ固定して取り付けられ、前記アクチュエータヘッドとの間にて空間を形成するノーズピースであって、ツールピンを受入れるための少なくとも１個の中空の長手方向ガイドを備え、前記ツールピンの各々が後部及び前部を有し、前記ツールピンの前記後部が前記ノーズピースと前記アクチュエータヘッドとの間の前記空間内に延び、前記ツールピンの前記前部が前記ハウジングの前記前面を越えて延びている、ノーズピースと、
前記ハウジングに取り付けられ、前液圧記アクチュエータに接続された複数の液圧コネクタとを備え、
使用時、前記液圧アクチュエータが作動されたとき、前記アクチュエータヘッドは前記ツールピンに周期的な衝撃を与えるべく、長手方向に往復動することを特徴とする衝撃アクチュエータアセンブリ。
【請求項２】
前記アクチュエータヘッドは、前記ノーズピースの後面に対してほぼ平行な平坦面を有することを特徴とする請求項１に記載の衝撃アクチュエータアセンブリ。
【請求項３】
前記アクチュエータ受入領域は前記ハウジングから分離されていることを特徴とする請求項２に記載の衝撃アクチュエータアセンブリ。
【請求項４】
前記液圧コネクタは前記ハウジングの前記上面に取り付けられていることを特徴とする請求項３に記載の衝撃アクチュエータアセンブリ。
【請求項５】
前記衝撃アクチュエータアセンブリは、互いに整列された３個の中空の長手方向ガイドと、前記各長手方向ガイド内に設けられたツールピンとを含むことを特徴とする請求項３に記載の衝撃アクチュエータアセンブリ。
【請求項６】
前記ノーズピースの後面に位置決めスペーサが更に設けられていることを特徴とする請求項３に記載の衝撃アクチュエータアセンブリ。
【請求項７】
前記ツールピンは、裏当てロッドを備えた前記ノーズピース内にて所定位置に保持されていることを特徴とする請求項５に記載の衝撃アクチュエータアセンブリ。
【請求項８】
前記ノーズピースの後面は複数の凹所を更に含み、
前記各凹所はばね部材を備え、このばね部材の一端は前記凹所の端壁に着座するともに前記ばね部材の他端は前記凹所内に固定された受け部材に着座しており、
前記受け部材は前記ノーズピースと前記アクチュエータ受入領域との間の前記空間内に延びていることを特徴とする請求項７に記載の衝撃アクチュエータアセンブリ。
【請求項９】
前記ノーズピースと前記アクチュエータ受入領域との間の前記空間の長さは、ピストンストロークよりも短いことを特徴とする請求項７に記載の衝撃アクチュエータアセンブリ。
【請求項１０】
前記ノーズピースと前記アクチュエータ受入領域との間の前記空間の長さは、ピストンストロークよりも長いことを特徴とする請求項７に記載の衝撃アクチュエータアセンブリ。
【請求項１１】
底、後壁、取付ブラケットを備えた側壁を有し、請求項１における少なくとも１個の衝撃アクチュエータアセンブリを備えた掘削バケット。
【請求項１２】
前記アクチュエータヘッドは、前記ノーズピースの後面に対してほぼ平行な平坦面を有することを特徴とする請求項１１に記載の掘削バケット。
【請求項１３】
前記アクチュエータ受入領域は前記ハウジングから分離されていることを特徴とする請求項１２に記載の掘削バケット。
【請求項１４】
前記液圧コネクタは前記ハウジングの前記上面に取り付けられていることを特徴とする請求項１３に記載の掘削バケット。
【請求項１５】
前記衝撃アクチュエータアセンブリは、互いに整列された３個の中空の長手方向ガイドと、前記各長手方向ガイド内に設けられたツールピンとを含むことを特徴とする請求項１３に記載の掘削バケット。
【請求項１６】
前記ノーズピースの前記後面に位置決めスペーサが更に設けられていることを特徴とする請求項１３に記載の掘削バケット。
【請求項１７】
前記ツールピンは、裏当てロッドを備えた前記ノーズピース内にて所定位置に保持されていることを特徴とする請求項１５に記載の掘削バケット。
【請求項１８】
前記ノーズピースの前記後面は複数の凹所を更に含み、
前記各凹所はばね部材を備え、このばね部材の一端は前記凹所の端壁に着座するともに前記ばね部材の他端は前記凹所内に固定された受け部材に着座しており、
前記受け部材は前記ノーズピースと前記アクチュエータ受入領域との間の前記空間内に延びていることを特徴とする請求項１７に記載の掘削バケット。
【請求項１９】
前記ノーズピースと前記アクチュエータ受入領域との間の前記空間の長さは、ピストンストロークよりも短いことを特徴とする請求項１７に記載の掘削バケット。
【請求項２０】
前記ノーズピースと前記アクチュエータ受入領域との間の前記空間の長さは、ピストンストロークよりも短いことを特徴とする請求項１６に記載の掘削バケット。
【請求項２１】
少なくとも２個の衝撃アクチュエータアセンブリを含むことを特徴とする請求項１１に記載の掘削バケット。
【請求項２２】
前記少なくとも２個の衝撃アクチュエータアセンブリは液圧的に並列に接続されていることを特徴とする請求項２１に記載の掘削バケット。
【請求項２３】
前記少なくとも２個の衝撃アクチュエータアセンブリは液圧的に直列に接続されていることを特徴とする請求項２１に記載の掘削バケット。
【請求項２４】
前記各ツールピンの前部は楔形状であることを特徴とする請求項１に記載の衝撃アクチュエータアセンブリ。
【請求項２５】
前記各ツールピンの前部は締固めプレートに更に接続されていることを特徴とする請求項５に記載の衝撃アクチュエータアセンブリ。
【請求項２６】
前記各ツールピンの前部はＶ字ナイフに更に接続されていることを特徴とする請求項５に記載の衝撃アクチュエータアセンブリ。
【請求項２７】
前記各ツールピンの前部は地均しナイフに更に接続されていることを特徴とする請求項５に記載の衝撃アクチュエータアセンブリ。
【請求項２８】
前記各ツールピンの前部は締固めローラに更に接続されていることを特徴とする請求項５に記載の衝撃アクチュエータアセンブリ。
【請求項２９】
前記少なくとも２個の衝撃アクチュエータアセンブリにおける少なくとも２個のノーズピースは単一の部材から形成されていることを特徴とする請求項２１に記載の掘削バケット。
【手続補正２】
【補正対象書類名】図面
【補正対象項目名】図１８
【補正方法】変更
【補正の内容】
【図１８】
2008505264.tif 000039
【手続補正３】
【補正対象書類名】図面
【補正対象項目名】図１９
【補正方法】変更
【補正の内容】
【図１９】
2008505264.tif 000040
【国際調査報告】
2008505264.tif 000041
2008505264.tif 000042